(57)【要約】【課題】帯電微粒子の凝集によって発生する電気泳動表示素子の表示を改善する。【解決手段】本発明の一態様において、電気泳動表示装置の駆動方法は、コモン電圧を基準として画素電極に正のパルスと負のパルスを交互に印加するプレパルス動作と、本電気泳動表示装置に希望の画像を表示させるため画素電極に電圧を印加する書込み動作と、書込み動作の終了後に画素電極に印加している電圧を徐々に減少させる書込み終了動作とを含む。プレパルス動作により、帯電微粒子に往復運動をする様に力が加えられ、プレパルス動作前に凝集していた帯電微粒子は解きほぐされる。その結果、本電気泳動表示装置は、異なる色の帯電微粒子の凝集によって起こる表示コントラストの低下を防ぐことができる。また、書込み終了動作により、凝集している微粒子が互いに回り込み発生する色の変化の速度が低下する。このため、本電気泳動表示装置は、観察者にとって違和感のあるちらつきを覚えにくい表示ができる。【選択図】図４
2011059330.tif 000002
【特許請求の範囲】
【請求項１】
第１の基板と、
前記第１の基板と一定間隔の間隙を形成して対峙する第２の基板と、
前記間隙に閉じた空間である画素空間を少なくとも１つ形成し、前記第１の基板と前記第２の基板と共に該画素空間の境界を構成する隔壁部と、
前記画素空間中の前記第１の基板上に形成されている第１の電極と、
前記画素空間中の前記第２の基板上に形成されている第２の電極と、
前記画素空間に封入されている分散材と、
前記分散材に懸濁され、正の電荷を有する正帯電微粒子と、
前記分散材に懸濁され、負の電荷を有する負帯電微粒子と、
前記第１の電極に信号電圧を印加する信号電圧印加部と、
前記第２の電極にコモン電圧を印加するコモン電圧印加部と、
を具備し、
前記信号電圧は、
当該電気泳動表示装置に画像を表示させるための書込み信号電圧と、
前記書込み信号電圧から当該電気泳動表示装置の表示状態を維持するための保持信号電圧へ段階的に電圧が変化する書込み後信号電圧と、
を含むことを特徴とする電気泳動表示装置。
【請求項２】
前記信号電圧は、
コモン電圧を基準として正電圧と負電圧が交互に複数回繰り返される書込み前信号電圧
を含むことを特徴とする請求項１に記載の電気泳動表示装置。
【請求項３】
前記画素空間は複数形成され、
前記書込み前信号電圧は、複数の前記第１の電極に一斉に印加されることを特徴とする請求項２に記載の電気泳動表示装置。
【請求項４】
閉じた空間である画素空間に封入されている分散材中の帯電粒子を電気泳動させて画像を表示する電気泳動表示装置の駆動方法であって、
当該電気泳動表示装置に画像を表示させるための書込み信号電圧を前記電極に印加して、
前記書込み信号電圧から前記電気泳動表示装置の表示状態を維持するための保持信号電圧へ段階的に電圧が変化する書込み後信号電圧を前記電極に印加することを含む
ことを特徴とする電気泳動表示装置の駆動方法。
【請求項５】
前記信号電圧は、
コモン電圧を基準として所定の正電圧と負電圧が交互に所定の回数繰り返される書込み前信号電圧を前記電極に印加することを含む
ことを特徴とする請求項４に記載の電気泳動表示装置の駆動方法。
【発明の詳細な説明】
【技術分野】
【０００１】
本発明は電気泳動表示装置及びその駆動方法に関する。
【背景技術】
【０００２】
電気泳動表示素子は、電子ブック、携帯電話、電子棚札、時計等の分野で活用され始めている。電気泳動表示素子は、紙に近い反射率・コントラスト・視野角が得られ、目にやさしい表示が可能である。また、電気泳動表示素子は、メモリ性を有し、電力を消費するのは表示書換時のみである。従って、電気泳動表示装置においては、一度画像を表示させた後は電力を必要としない。このため、低消費電力な表示素子である。また、電気泳動表示素子の構造は、液晶表示素子や有機ＥＬ表示素子の構造に比べてシンプルである。このため、表示素子のフレキシブル化が期待されている。
【０００３】
電気泳動表示素子として、例えば特許文献１に開示されているマイクロカプセル構造電気泳動方式が知られている。特許文献１に開示されている電気泳動表示素子では、溶媒と帯電白微粒子とこの帯電白微粒子に対して逆極性に帯電させた逆帯電黒微粒子を封入したマイクロカプセルが用いられている。この電気泳動表示素子は、前記マイクロカプセルを電極で挟んだ構成を有している。そして、特許文献１は、前記電極により発生させる電場により、前記マイクロカプセル中の微粒子を泳動させ、該表示素子に黒表示又は白表示させる技術を開示している。
【先行技術文献】
【特許文献】
【０００４】
【特許文献１】特表２００７−５０７７３７号公報
【発明の概要】
【発明が解決しようとする課題】
【０００５】
前記特許文献１に開示されている電気泳動表示素子の技術の様に、帯電微粒子と逆帯電微粒子とを用いる場合、これら微粒子の間に引力が働く。このため、帯電微粒子と逆帯電微粒子とが凝集を起こし易い。この様な微粒子の凝集は、帯電微粒子の色と逆帯電微粒子の色との混色を引き起こすことがある。この混色は、該電気泳動表示素子の表示される画像のコントラストを下げるため好ましくない。また、黒表示又は白表示の電気泳動表示素子に印加する電場を変化させたとき、凝集した微粒子の挙動が表示反射率の急激な変化を引き起こすことがある。この表示反射率の急激な変化は、観察者に違和感のあるちらつきを覚えさせることがある。
【０００６】
そこで本発明は、帯電微粒子と逆帯電微粒子との凝集によって発生する電気泳動表示素子の表示の不都合を改善し、良好な画質を表示する電気泳動表示装置及びその駆動方法を提供することを目的とする。
【課題を解決するための手段】
【０００７】
前記目的を果たすため、本発明の電気泳動表示装置の一態様は、第１の基板と、前記第１の基板と一定間隔の間隙を形成して対峙する第２の基板と、前記間隙に閉じた空間である画素空間を少なくとも１つ形成し、前記第１の基板と前記第２の基板と共に該画素空間の境界を構成する隔壁部と、前記画素空間中の前記第１の基板上に形成されている第１の電極と、前記画素空間中の前記第２の基板上に形成されている第２の電極と、前記画素空間に封入されている分散材と、前記分散材に懸濁され、正の電荷を有する正帯電微粒子と、前記分散材に懸濁され、負の電荷を有する負帯電微粒子と、前記第１の電極に信号電圧を印加する信号電圧印加部と、前記第２の電極にコモン電圧を印加するコモン電圧印加部とを具備し、前記信号電圧は、当該電気泳動表示装置に画像を表示させるための書込み信号電圧と、前記書込み信号電圧から当該電気泳動表示装置の表示状態を維持するための保持信号電圧へ段階的に電圧が変化する書込み後信号電圧とを含むことを特徴とする。
【０００８】
また、前記目的を果たすため、本発明の電気泳動表示装置の駆動方法の一態様は、閉じた空間である画素空間に封入されている分散材中の帯電粒子を電気泳動させて画像を表示する電気泳動表示装置の駆動方法であって、当該電気泳動表示装置に画像を表示させるための書込み信号電圧を前記電極に印加して、前記書込み信号電圧から前記電気泳動表示装置の表示状態を維持するための保持信号電圧へ段階的に電圧が変化する書込み後信号電圧を前記電極に印加することを含むことを特徴とする。
【発明の効果】
【０００９】
本発明によれば、帯電微粒子と逆帯電微粒子との凝集によって発生する電気泳動表示素子の表示の不都合を改善した、良好な画質を表示する電気泳動表示装置及びその駆動方法を提供できる。
【図面の簡単な説明】
【００１０】
【図１】本発明の一態様に係る電気泳動表示装置の構成の一例の概略を示す図。
【図２】本発明の一態様に係る電気泳動表示装置の構造の一例の概略を示す平面図。
【図３】本発明の一態様に係る電気泳動表示装置の構造の一例の概略を示す断面図。
【図４】本発明の一態様に係る電気泳動表示装置の表示原理を説明する図。
【図５】本発明の一態様に係る電気泳動表示装置のＴＦＴの駆動のタイミングチャート。
【図６】プレパルス動作による黒色のプラス帯電微粒子及び白色のマイナス帯電微粒子の凝集の解消を示す模式図。
【図７】画素電圧印加停止前後の微粒子の挙動による黒さの変化を説明する図。
【図８】本発明の一態様の変形例に係る電気泳動表示装置の駆動のタイミングチャート。
【発明を実施するための形態】
【００１１】
本発明の一実施形態について図面を参照して説明する。図１は、本実施形態に係る電気泳動表示装置の構成の概略を示す図である。図１に示す様に、本電気泳動表示装置は、表示パネル１００と、走査ドライバ４２０と、信号ドライバ４４０と、制御部４６０と、電源調整部４８０とを有している。表示パネル１００は、画像データＤに基づく画像を表示する部分である。この表示パネル１００は、画素側基板１１０とＣＯＭ基板２００との間に電気泳動層が狭持される構成の表示素子を含む。
【００１２】
画素側基板１１０には、複数の走査線１４０（Ｇ（ｊ）（ｊ＝１、２、…、ｎ））と複数の信号線１５０（Ｓ（ｉ）（ｉ＝１、２、…、ｍ））とがそれぞれ交差するように延伸配設されている。そして、走査線１４０と信号線１５０との各交点に対応した位置には画素電極１２０が配置されている。この画素電極１２０は、走査線１４０（Ｇ（ｊ））と信号線１５０（Ｓ（ｉ））とのそれぞれに、薄膜トランジスタ（ＴＦＴ）１３０を介して電気的に接続されている。従って、各走査線にはｍ個の画素電極１２０が接続され、各信号線にはｎ個の画素電極１２０が接続されている。なお、図１には、簡単のためｎ＝４、ｍ＝４の範囲を模式的に表してある。走査線１４０は走査ドライバ４２０と接続しており、信号線１５０は信号ドライバ４４０と接続している。走査ドライバ４２０及び信号ドライバ４４０は、それぞれ制御部４６０に接続している。また、ＣＯＭ基板２００には電源調整部４８０が接続している。更に電源調整部４８０は、走査ドライバ４２０及び信号ドライバ４４０にも接続している。
【００１３】
本実施形態に係る表示パネル１００の構造の一例について図２及び図３を参照して更に説明する。図２は表示パネル１００の表示部分の平面図、図３は図２中Ａ−Ａ’線矢視断面図である。例えばガラス基板等である画素側基板１１０上には、例えば酸化インジウム錫（ＩＴＯ）膜等で構成される画素電極１２０が形成されている。画素電極１２０は、図２及び図３に示す様に、１画素につき１パターンが対応するように形成されている。そして、それぞれの画素電極１２０は、スイッチング素子としてのＴＦＴ１３０のソース電極に各々接続されている。また、ＴＦＴ１３０のゲート電極には走査線１４０が、ドレイン電極には信号線１５０がそれぞれ接続されている。前記の通り走査線１４０と信号線１５０とは交差している。また、図２及び図３では図示を省略しているが、画素側基板１１０とそれぞれの画素電極１２０との間には補助容量電極が形成されている。そして、それぞれの補助容量電極は補助容量線に接続されている。走査線１４０、信号線１５０、補助容量線、ＴＦＴ１３０及び画素電極１２０の一部の上には、それぞれの画素電極１２０を囲み、画素電極１２０の上面を露出する様にマイクロリブ１６０が形成されている。
【００１４】
マイクロリブ１６０の上底にはＣＯＭ基板２００が乗せられている。ここで、ＣＯＭ基板２００は、ガラス基板等の透明性を有する透明基板２１０に、コモン電極２２０が形成されているものである。コモン電極２２０は、例えばＩＴＯ膜等の透明導電膜である。コモン電極２２０は電源調整部４８０に接続している。画素側基板１１０と、ＣＯＭ基板２００と、マイクロリブ１６０とに囲まれた画素区画には、図３に示す様に、溶媒３１０中に懸濁された黒色のプラス帯電微粒子３２０と白色のマイナス帯電微粒子３３０とが封入されている。
【００１５】
この様に、例えば画素側基板１１０は第１の基板として機能し、例えば画素電極１２０は第１の電極として機能し、例えばマイクロリブ１６０は隔壁部として機能し、例えば透明基板２１０は第２の基板として機能し、例えばコモン電極２２０は第２の電極として機能し、例えば溶媒３１０は分散材として機能し、例えば黒色のプラス帯電微粒子３２０は正帯電微粒子として機能し、例えば白色のマイナス帯電微粒子３３０は負帯電微粒子として機能し、例えば走査ドライバ４２０及び信号ドライバ４４０は信号電圧印加部として機能し、例えば電源調整部４８０はコモン電圧印加部として機能する。
【００１６】
次に本実施形態に係る電気泳動表示装置の動作を説明する。図１に示す走査ドライバ４２０は、制御部４６０の制御の下、電源調整部４８０から供給される電力を用いて、表示パネル１００の走査線１４０（Ｇ（ｊ））に走査信号を順次印加する。走査線１４０に走査信号のＯＮ電圧が印加されると、走査線１４０に接続されているＴＦＴ１３０がＯＮ状態になる。このとき、信号ドライバ４４０は、制御部４６０の制御の下、電源調整部４８０から供給される電力を用いて、信号線１５０（Ｓ（ｉ））にデータ信号を印加する。信号線１５０（Ｓ（ｉ））に印加されているデータ信号は、走査信号によりＯＮ状態にされたＴＦＴ１３０を介して、対応する画素電極１２０に印加される。このデータ信号によって画素電圧が発生する。
【００１７】
この様に、各走査線１４０に順に走査信号を印加し、それと同時に画素電圧を印加したい画素電極１２０が接続された信号線１５０にデータ信号を印加する。その結果、全画素電極のうち望みの画素電極１２０に画素電圧を印加できる。一方、コモン電極２２０は、電源調整部４８０によって一定電位、例えば０Ｖに維持されている。また、画素電極１２０下の補助容量電極も、電源調整部４８０によってコモン電極２２０と同電位に維持されている。従って、画素電極１２０及び補助容量電極によって蓄積容量が形成される。この蓄積容量は、画素電極１２０に供給されるデータ信号に基づく画素電圧を保持しておくためのものである。
【００１８】
本実施形態に係る電気泳動表示装置の表示原理を図４に示す。画素電極１２０を介して画素電圧が印加されると、画素電極１２０とコモン電極２２０との間に電場が生じる。すると、発生した電場に従って、黒色のプラス帯電微粒子３２０はマイナスの電極の方へ、白色のマイナス帯電微粒子３３０はプラスの電極の方へ、それぞれ溶媒３１０中を移動する。その結果、ＣＯＭ基板２００側から図４中の黒矢印の向きに電気泳動表示素子を観察すると、ＣＯＭ基板２００は透明なので、コモン電極２２０に黒色のプラス帯電微粒子３２０が集まっている画素、即ち画素電極１２０にプラスの電圧が印加されている画素は黒く見え（図４における真中の画素）、逆にコモン電極２２０に白色のマイナス帯電微粒子３３０が集まっている画素、即ち画素電極１２０にマイナスの電圧が印加されている画素は白く見える（図４における左右の画素）。即ち、画素毎に黒又は白を表示することができる。この様に黒又は白表示する画素をマトリクス状に配置することで、各画素が表示する黒又は白の組み合わせにより、２色で構成される希望の画像を表示することができる。
【００１９】
ここで、本実施形態に係る電気泳動表示装置の駆動方法について説明する。本電気泳動表示装置の駆動動作は４つのステップに分けられる。１つ目は、黒色のプラス帯電微粒子３２０と白色のマイナス帯電微粒子３３０との凝集を解消するためのプレパルス動作である。２つ目は、本電気泳動表示装置に希望の画像を表示させるための書込み動作である。３つ目は、前記書込み動作を終了させるための書込み終了動作である。４つ目は、前記書込み動作で本電気泳動表示装置に書込んだ希望の画像の表示を維持させるための保持動作である。本電気泳動表示装置のＴＦＴ１３０の駆動のタイミングチャートを図５に示す。図５において、上段はｊ番目の走査線１４０Ｇ（ｊ）の電位を、下段はｉ番目の信号線１５０Ｓ（ｉ）の電位を示す。
【００２０】
まず、プレパルス動作を行う。プレパルス動作では、黒色のプラス帯電微粒子３２０と白色のマイナス帯電微粒子３３０とが凝集したまま画素電極１２０とコモン電極２２０との間を移動することを防ぐ。このプレパルス動作においては、全画素に画素電圧を印加する。従って一走査線ごとに画素電圧を印加する必要はなく、全画素に一斉に画素電圧を印加する。そこで、全てのＴＦＴ１３０をＯＮにするため、走査ドライバ４２０は、全ての走査線１４０に印加される走査信号を、ゲートオフレベルＶｇｌからゲートオンレベルＶｇｈに切り替える。そして、走査線１４０に印加される走査信号がゲートオンレベルＶｇｈである間、信号ドライバ４４０は、全ての信号線１５０に、コモン電圧を基準として所定の電圧＋Ｖのパルスと電圧−Ｖのパルスとを交互に所定の回数印加する。
【００２１】
このプレパルス動作により、黒色のプラス帯電微粒子３２０と白色のマイナス帯電微粒子３３０とには、それぞれが逆方向に往復運動する様に力が加わる。その結果、図６左の模式図の様に、プレパルス動作前に凝集していた黒色のプラス帯電微粒子３２０及び白色のマイナス帯電微粒子３３０は、図６右の模式図の様にバラバラに解きほぐされる。
【００２２】
次に、書込み動作を行う。ここでは走査ドライバ４２０は、走査線１４０（Ｇ（ｊ））に印加される走査信号を、ゲートオフレベルＶｇｌからゲートオンレベルＶｇｈに順次切り替える。各行（各走査線１４０（Ｇ（ｊ）））にＶｇｈが印加される時間は１行分（１本の走査線分）のデータ信号を印加するための期間である１水平期間である。走査線１４０Ｇ（ｊ）の電位がＶｇｈになると、該走査線１４０Ｇ（ｊ）に接続されているＴＦＴ１３０がＯＮ状態になる。このとき、信号ドライバ４４０は、信号線１５０（Ｓ（ｉ））にデータ信号を印加する。すると、信号線１５０（Ｓ（ｉ））に印加されているデータ信号は、走査信号によりＯＮ状態となっているＴＦＴ１３０を介して、対応する画素電極１２０に印加される。この様に、各走査線１４０に順に走査信号を印加し、それと同時に画素電圧を印加したい信号線１５０にデータ信号を印加することによって、全画素電極のうち望みの画素電極１２０に、画素電圧を印加できる。一方、コモン電極２２０は一定電位に維持されている。この画素電極１２０とコモン電極２２０との電位差によって、黒色のプラス帯電微粒子３２０及び白色のマイナス帯電微粒子３３０は泳動される。しかし、１回の画素電圧の印加では、黒色のプラス帯電微粒子３２０及び白色のマイナス帯電微粒子３３０は十分に泳動されないことが考えられる。そこで、画素電圧の印加を、１フレーム時間ごとに所定の回数繰り返すことが好ましい。この時、画素電極１２０及び補助容量電極によって形成された蓄積容量は、走査信号及びデータ信号が印加されていない間の画素電極１２０の電位を保持することを補助する。黒色のプラス帯電微粒子３２０及び白色のマイナス帯電微粒子３３０の移動に伴い、蓄積容量に蓄積された電荷は消費されるので、補助容量電極はできるだけ大きくすることが望ましい。
【００２３】
ところで、書込み動作前にプレパルス動作を行っても、微粒子が解きほぐれずに残ったり、書込み動作中に再凝集したりする可能性がある。この場合、書込み動作時において、微粒子が凝集した状態のまま泳動されることがある。この様な場合の模式図を図７に示す。観察者がＣＯＭ基板２００側から図７中の黒矢印の向きに電気泳動表示装置を観察すると、例えばプラスの画素電圧を印加している間は、電場によって微粒子は図７左に示す様にして画素空間内に配置される。その結果、当該画素では黒微粒子が観察され黒く見える。しかし、画素電圧の印加を停止すると、図７右に示す様に、凝集している微粒子は互いに回り込む可能性がある。この場合、観察者からは黒微粒子の中に僅か乍白微粒子が混ざり込んで見える。このため、画素電圧の印加を停止した時に、観察者には黒さが減少して見える。この様な黒さの変化が急激に起こると、観察者は表示に違和感のあるちらつきを覚える。
【００２４】
そこで本実施形態では、図４に示す様に、書込み動作の終了後、書込み終了動作として、画素電圧を徐々に減少させる。即ち、走査線１４０Ｇ（ｊ）の電位がＶｇｈとなっている間に信号線１５０（Ｓ（ｉ））によって印加するデータ信号の電位を、例えば１フレーム時間毎に徐々に保持動作の電位（ＣＯＭ電極２００の電位）、例えば０Ｖに近づける。その結果、前記の様に凝集している微粒子が互いに回り込むことによって発生する色の変化の速度が低下する。この書込み終了動作による色変化速度の低下によって、本実施形態に係る電気泳動表示装置は、観察者にとって違和感のあるちらつきを覚えにくい表示が可能になる。
【００２５】
最後に保持状態では、走査信号及びデータ信号の印加を停止する。走査信号及びデータ信号の印加を停止しても、ファンデルワールス力等、微粒子と電極との間に働く引力のため、微粒子は電極上に留まり、書込んだ画像の表示は維持される。
【００２６】
この様に、例えばプレパルス動作は書込み前信号電圧の印加により実施され、例えば書込み動作は書込み信号電圧の印加により実施され、例えば書込み終了動作は書込み後信号電圧の印加により実施される。
【００２７】
本実施形態の説明では、プラスに帯電した黒色微粒子とマイナスに帯電した白色微粒子を各画素区画に封入した場合を例に挙げて説明した。しかし、黒色微粒子と白色微粒子の帯電状態は逆でも良い。また、微粒子の色は他の色でも構わない。
【００２８】
また、本実施形態の画素側基板は、ガラス基板、メタル基板、プラスチック基板、フィルム基板等の透明性を有さない基板でもよい。更にＴＦＴは低温ｐ−ＳｉＴＦＴ、μｃ−ＳｉＴＦＴ、酸化物(ＺｎＯ、ＩｎＧａＺｎＯ等)ＴＦＴ、有機ＴＦＴ等でもよい。また、画素電極１２０は例えばＩＴＯ膜等と説明した。しかし、液晶表示パネルなどの場合と違い電気泳動表示パネルの場合の表示は反射方式であるため、画素電極１２０が透明である必要はない。従って、画素電極１２０は不透明の電極を用いてもよい。
【００２９】
更に、電気泳動表示素子の特徴であるメモリ性、即ち、一度該表示素子に画像を表示させた後に電力を消費せずに表示を維持することを実現するためには、ＴＦＴ１３０の漏れ電流をできるだけ小さくする必要がある。このため、スイッチング素子としてのＴＦＴを２つ直列接続することで抵抗値を高めたデュアルゲート構造にしても良い。
【００３０】
本実施形態では、プレパルス動作で凝集している黒色のプラス帯電微粒子３２０及び白色のマイナス帯電微粒子３３０を解きほぐすことで、黒色と白色の混色によって起こる当該電気泳動表示装置の表示される画像のコントラストの低下を防ぐことができる。また、プレパルス動作を、全画素で一斉に行うと、１走査線ごとにプレパルス動作を行う場合よりも時間を短縮することができる。
【００３１】
また、本実施形態では、書込み動作の終了後、書込み終了動作として画素電圧を徐々に減少させる。この書込み終了動作により、書込み動作の終了後に凝集している微粒子が互いに回り込むことによって起こる色変化の速度を低下させる。その結果、当該電気泳動表示装置は、観察者にとって違和感のあるちらつきを覚えにくい表示を行うことができる。
【００３２】
次に、本実施形態の変形例について説明する。ここで本変形例の説明では、第１の実施形態との相違点に限定して説明する。第１の実施形態においては、ＴＦＴ１３０を用いたアクティブマトリクス駆動方式の場合を例に挙げて説明したが、セグメント駆動方式を用いても良い。この場合、第１の実施形態と同様に、電気泳動表示装置のそれぞれのセグメントは、ドライバに接続した画素電極１２０及びコモン電極２２０と、マイクロリブ１６０とに囲まれた区画を有する。この区画には、溶媒３１０と黒色のプラス帯電微粒子３２０と白色のマイナス帯電微粒子３３０とが封入されている。この様な構成を有するセグメント駆動方式の電気泳動表示装置の場合、各セグメントの画素電極には、図８の様な電圧を印加する。
【００３３】
即ち、まず、プレパルス動作として、それぞれのセグメントにコモン電圧を基準として所定の電圧＋Ｖのパルスと電圧−Ｖのパルスとを交互に所定の回数印加する。次に、書込み動作として、それぞれのセグメントに書込みのための電圧を印加する。そして、書込み終了動作として、書込み動作を行ったセグメントに印加されている電圧を徐々に減少させる。この時、電圧は図８の実線で示す様にステップ状に減少させても良いし、点線で示す様に漸減させても良い。最後に保持動作として、セグメントに印加している電圧を例えば０Ｖで維持する。
【００３４】
本変形例によっても各部の動作や帯電微粒子の挙動は前記第１の実施形態の場合と同等である。従って、前記第１の実施形態と同様の効果を得ることができる。
【００３５】
尚、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除しても、発明が解決しようとする課題の欄で述べられた課題が解決でき、かつ、発明の効果が得られる場合には、この構成要素が削除された構成も発明として抽出され得る。
【符号の説明】
【００３６】
１００…表示パネル、１１０…画素側基板、１２０…画素電極、１３０…薄膜トランジスタ（ＴＦＴ）、１４０…走査線、１５０…信号線、１６０…マイクロリブ、２００…ＣＯＭ基板、２１０…透明基板、２２０…コモン電極、３１０…溶媒、３２０…黒色のプラス帯電微粒子、３３０…白色のマイナス帯電微粒子、４２０…走査ドライバ、４４０…信号ドライバ、４６０…制御部、４８０…電源調整部。
【図１】
2011059330.tif 000003
【図２】
2011059330.tif 000004
【図３】
2011059330.tif 000005
【図４】
2011059330.tif 000006
【図５】
2011059330.tif 000007
【図６】
2011059330.tif 000008
【図７】
2011059330.tif 000009
【図８】
2011059330.tif 000010
【手続補正書】
【提出日】平成22年9月22日(2010.9.22)
【手続補正１】
【補正対象書類名】明細書
【補正対象項目名】０００７
【補正方法】変更
【補正の内容】
【０００７】
前記目的を果たすため、本発明の電気泳動表示装置の一態様は、
第１の基板と、
前記第１の基板と一定間隔の間隙を形成して対峙する第２の基板と、
前記間隙に、閉じた空間である画素空間を少なくとも１つ形成し、前記第１の基板と前記第２の基板と共に該画素空間の境界を構成する隔壁部と、
前記画素空間中の前記第１の基板上に形成されている第１の電極と、
前記画素空間中の前記第２の基板上に形成されている第２の電極と、
前記画素空間に封入されている分散材と、
前記分散材に懸濁され、正の電荷を有する正帯電微粒子と、
前記分散材に懸濁され、負の電荷を有する負帯電微粒子と、
を含む表示部と、
前記第１の電極に信号電圧を印加する信号電圧印加部であって、前記信号電圧は、
前記表示部に画像を表示させるための書込み信号電圧と、
前記書込み信号電圧から前記表示部の表示状態を維持するための保持信号電圧へ段階的に電圧が変化する書込み後信号電圧と、
を含む信号電圧印加部と、
前記第２の電極にコモン電圧を印加するコモン電圧印加部と、
を具備することを特徴とする。
また、前記目的を果たすため、本発明の電気泳動表示装置の一態様は、
第１の基板と、
前記第１の基板と一定間隔の間隙を形成して対峙する第２の基板と、
前記間隙に、閉じた空間である画素空間を少なくとも１つ形成し、前記第１の基板と前記第２の基板と共に該画素空間の境界を構成する隔壁部と、
前記画素空間中の前記第１の基板上に形成されている第１の電極と、
前記画素空間中の前記第２の基板上に形成されている第２の電極と、
前記画素空間に封入されている分散材と、
前記分散材に懸濁され、正の電荷を有する正帯電微粒子と、
前記分散材に懸濁され、負の電荷を有する負帯電微粒子と、
前記第１の電極にソース電極が接続されている、薄膜トランジスタと、
前記薄膜トランジスタを選択的にＯＮ状態にする走査信号電圧を、前記薄膜トランジスタのゲート電極に供給する、走査線と、
前記薄膜トランジスタのドレイン電極に接続し、前記ＯＮ状態の薄膜トランジスタのうち前記正帯電微粒子及び前記負帯電微粒子を泳動させる前記第１の電極、が接続している該薄膜トランジスタに、データ信号電圧を入力する、信号線と、
を含む表示部と、
前記走査線に、前記走査信号電圧を印加する、走査信号電圧印加部と、
前記信号線に、前記データ信号電圧を印加する、データ信号電圧印加部であって、前記データ信号電圧は、
前記表示部に画像を表示させるための書込み信号電圧と、
前記書込み信号電圧から前記表示部の表示状態を維持するための保持信号電圧へ段階的に電圧が変化する書込み後信号電圧と、
を含むデータ信号電圧印加部と、
前記第２の電極にコモン電圧を印加するコモン電圧印加部と、
を具備することを特徴とする。
【手続補正２】
【補正対象書類名】明細書
【補正対象項目名】０００８
【補正方法】変更
【補正の内容】
【０００８】
また、前記目的を果たすため、本発明の電気泳動表示装置の駆動方法の一態様は、
閉じた空間である画素空間に封入されている分散材中の帯電粒子を電気泳動させて画像を表示する表示部を駆動する、電気泳動表示装置の駆動方法であって、
前記画素空間のコモン電極に、コモン電圧を印加するステップと、
前記コモン電圧を印加している期間中に、前記画素空間の画素電極に、画像を表示させるための書込み信号電圧を印加するステップと、
前記コモン電圧を印加している期間中に、前記画素電極に、前記書込み信号電圧から、前記表示部の表示状態を維持するための保持信号電圧へ、段階的に電圧が変化する、書込み後信号電圧を印加するステップと、
を含むことを特徴とする。
【手続補正３】
【補正対象書類名】特許請求の範囲
【補正対象項目名】全文
【補正方法】変更
【補正の内容】
【特許請求の範囲】
【請求項１】
第１の基板と、
前記第１の基板と一定間隔の間隙を形成して対峙する第２の基板と、
前記間隙に、閉じた空間である画素空間を少なくとも１つ形成し、前記第１の基板と前記第２の基板と共に該画素空間の境界を構成する隔壁部と、
前記画素空間中の前記第１の基板上に形成されている第１の電極と、
前記画素空間中の前記第２の基板上に形成されている第２の電極と、
前記画素空間に封入されている分散材と、
前記分散材に懸濁され、正の電荷を有する正帯電微粒子と、
前記分散材に懸濁され、負の電荷を有する負帯電微粒子と、
を含む表示部と、
前記第１の電極に信号電圧を印加する信号電圧印加部であって、前記信号電圧は、
前記表示部に画像を表示させるための書込み信号電圧と、
前記書込み信号電圧から前記表示部の表示状態を維持するための保持信号電圧へ段階的に電圧が変化する書込み後信号電圧と、
を含む信号電圧印加部と、
前記第２の電極にコモン電圧を印加するコモン電圧印加部と、
を具備することを特徴とする電気泳動表示装置。
【請求項２】
前記信号電圧は、前記コモン電圧を基準として正電圧と負電圧が交互に複数回繰り返される書込み前信号電圧を更に含むことを特徴とする請求項１に記載の電気泳動表示装置。
【請求項３】
前記隔壁部は、複数の前記画素空間を形成し、
前記信号電圧印加部は、複数の前記第１の電極に、一斉に前記書込み前信号電圧を印加することを特徴とする請求項２に記載の電気泳動表示装置。
【請求項４】
前記正帯電微粒子の表面の色と、前記負帯電微粒子の表面の色は、異なることを特徴とする請求項１乃至３のうちいずれか１項に記載の電気泳動表示装置。
【請求項５】
前記正帯電微粒子の表面の色は黒色であり、前記負帯電微粒子の表面の色は白色であることを特徴とする請求項４に記載の電気泳動表示装置。
【請求項６】
前記黒色の正帯電微粒子の直径は、前記白色の負帯電微粒子の直径よりも大きいことを特徴とする請求項５に記載の電気泳動表示装置。
【請求項７】
前記分散材の誘電率は、前記正帯電微粒子及び前記負帯電微粒子の誘電率より低いことを特徴とする請求項１乃至６のうちいずれか１項に記載の電気泳動表示装置。
【請求項８】
第１の基板と、
前記第１の基板と一定間隔の間隙を形成して対峙する第２の基板と、
前記間隙に、閉じた空間である画素空間を少なくとも１つ形成し、前記第１の基板と前記第２の基板と共に該画素空間の境界を構成する隔壁部と、
前記画素空間中の前記第１の基板上に形成されている第１の電極と、
前記画素空間中の前記第２の基板上に形成されている第２の電極と、
前記画素空間に封入されている分散材と、
前記分散材に懸濁され、正の電荷を有する正帯電微粒子と、
前記分散材に懸濁され、負の電荷を有する負帯電微粒子と、
前記第１の電極にソース電極が接続されている、薄膜トランジスタと、
前記薄膜トランジスタを選択的にＯＮ状態にする走査信号電圧を、前記薄膜トランジスタのゲート電極に供給する、走査線と、
前記薄膜トランジスタのドレイン電極に接続し、前記ＯＮ状態の薄膜トランジスタのうち前記正帯電微粒子及び前記負帯電微粒子を泳動させる前記第１の電極、が接続している該薄膜トランジスタに、データ信号電圧を入力する、信号線と、
を含む表示部と、
前記走査線に、前記走査信号電圧を印加する、走査信号電圧印加部と、
前記信号線に、前記データ信号電圧を印加する、データ信号電圧印加部であって、前記データ信号電圧は、
前記表示部に画像を表示させるための書込み信号電圧と、
前記書込み信号電圧から前記表示部の表示状態を維持するための保持信号電圧へ段階的に電圧が変化する書込み後信号電圧と、
を含むデータ信号電圧印加部と、
前記第２の電極にコモン電圧を印加するコモン電圧印加部と、
を具備することを特徴とする電気泳動表示装置。
【請求項９】
前記データ信号電圧印加部は、複数フレーム期間にわたって、前記書込み後信号電圧を印加することを特徴とする請求項８に記載の電気泳動表示装置。
【請求項１０】
前記走査信号電圧印加部は、前記データ信号電圧が前記保持信号電圧へ移行した後、保持期間の間、前記走査線に、前記薄膜トランジスタをＯＦＦ状態にする走査信号電圧を、印加することを特徴とする請求項８に記載の電気泳動表示装置。
【請求項１１】
前記データ信号電圧は、前記コモン電圧を基準として正電圧と負電圧が交互に複数回繰り返される、書込み前信号電圧を含むことを特徴とする請求項８に記載の電気泳動表示装置。
【請求項１２】
前記隔壁部は、複数の前記画素空間を形成し、
前記信号電圧印加部は、複数の前記第１の電極に、一斉に前記書込み前信号電圧を印加することを特徴とする請求項１１に記載の電気泳動表示装置。
【請求項１３】
前記正帯電微粒子の表面の色と前記負帯電微粒子の表面の色は、異なることを特徴とする請求項８乃至１２のうちいずれか１項に記載の電気泳動表示装置。
【請求項１４】
前記正帯電微粒子の表面の色は黒色であり、前記負帯電微粒子の表面の色は白色であることを特徴とする請求項１３に記載の電気泳動表示装置。
【請求項１５】
前記黒色の正帯電微粒子の直径は、前記白色の負帯電微粒子の直径よりも大きいことを特徴とする請求項１４に記載の電気泳動表示装置。
【請求項１６】
前記分散材の誘電率は、前記正帯電微粒子及び前記負帯電微粒子の誘電率よりも低いことを特徴とする請求項８乃至１５のうちいずれか１項に記載の電気泳動表示装置。
【請求項１７】
前記隔壁部は、複数の第１の電極からなる複数の画素を個別に隔離するため、前記薄膜トランジスタ、前記走査線、及び前記信号線の上から前記第２の基板に向けて、前記第１の電極を囲うように立設されていることを特徴とする請求項８乃至１６のうちいずれか１項に記載の電気泳動表示装置。
【請求項１８】
閉じた空間である画素空間に封入されている分散材中の帯電粒子を電気泳動させて画像を表示する表示部を駆動する、電気泳動表示装置の駆動方法であって、
前記画素空間のコモン電極に、コモン電圧を印加するステップと、
前記コモン電圧を印加している期間中に、前記画素空間の画素電極に、画像を表示させるための書込み信号電圧を印加するステップと、
前記コモン電圧を印加している期間中に、前記画素電極に、前記書込み信号電圧から、前記表示部の表示状態を維持するための保持信号電圧へ、段階的に電圧が変化する、書込み後信号電圧を印加するステップと、
を含むことを特徴とする電気泳動表示装置の駆動方法。
【請求項１９】
前記書込み信号電圧の印加の前に、前記画素電極に、前記コモン電圧を基準として所定の正電圧と負電圧が交互に所定の回数繰り返す書込み前信号電圧を印加するステップと、を含むことを特徴とする請求項１８に記載の電気泳動表示装置の駆動方法。
【請求項２０】
前記画素空間は複数形成されており、
前記書込み前信号電圧は、複数の前記画素電極に、一斉に印加されることを特徴とする請求項１９に記載の電気泳動表示装置の駆動方法。
【手続補正４】
【補正対象書類名】図面
【補正対象項目名】図１
【補正方法】変更
【補正の内容】
【図１】
2011059330.tif 000011